(57)【要約】【課題】その動きや作用等に特色を持たせ、高い釣果を期待し得る釣用ルアーを提供する。【解決手段】甲虫型のルアーボディ１を有する。ルアーボディ１の後部からワイヤ５を延出し、ワイヤ５にプロペラ型可動ブレード６を回転自在に取り付ける。ワイヤ５の後端に連結具を介して、フック８が支持・連設される。連結具は、スプリットリング９が好適である。【選択図】      図１
2007028919.tif 000002
【特許請求の範囲】
【請求項１】
所定形態のルアーボディを有する釣用ルアーであって、
前記ルアーボディの後部からワイヤを延出し、このワイヤにプロペラ型可動ブレードを回転自在に取り付けたことを特徴とする釣用ルアー。
【請求項２】
前記ワイヤの後端に連結具を介して、フックが支持・連設されることを特徴とする請求項１に記載の釣用ルアー。
【請求項３】
前記ワイヤの後端に連結具を介して、別のブレードが支持・連設されることを特徴とする請求項１に記載の釣用ルアー。
【請求項４】
前記連結具は、スプリットリングまたはスイベルジョイントであることを特徴とする請求項２または３に記載の釣用ルアー。
【発明の詳細な説明】
【技術分野】
【０００１】
本発明は、たとえば蝉等の甲虫類の形態を模したルアーボディを有する釣用ルアーに関するものである。
【背景技術】
【０００２】
釣用ルアーのうち甲虫型のルアーボディを有するものが知られている。甲虫類の形態を模して作られていることから、釣り対象魚に対する集魚効果も高く、ルアーとして一定の釣果が得られる。たとえば、図４に示したように甲虫類の形態を模したルアーボディ１を有し、腹部対応部位にはフック（釣針）２が連結される。ルアーボディ１の先端に設けたラインアイ３にライン（釣糸）４が接続され、ライン４を引くことでルアーを遊泳させるようになっている。
【発明の開示】
【発明が解決しようとする課題】
【０００３】
しかしながら従来の釣用ルアーは、単にルアーボディ１が甲虫類の形態を模しただけであるため、使用時における水中での動きは一様かつ単純なものとなり、必ずしも高い釣果を期待することができなかった。
【０００４】
本発明はかかる実情に鑑み、その動きや作用等に特色を持たせ、高い釣果を期待し得る釣用ルアーを提供することを目的とする。
【課題を解決するための手段】
【０００５】
本発明の釣用ルアーは、所定形態のルアーボディを有する釣用ルアーであって、前記ルアーボディの後部からワイヤを延出し、このワイヤにプロペラ型可動ブレードを回転自在に取り付けたことを特徴とする。
【０００６】
また、本発明の釣用ルアーにおいて、前記ワイヤの後端に連結具を介して、フックが支持・連設されることを特徴とする。
【０００７】
また、本発明の釣用ルアーにおいて、前記ワイヤの後端に連結具を介して、別のブレードが支持・連設されることを特徴とする。
【０００８】
また、本発明の釣用ルアーにおいて、前記連結具は、スプリットリングまたはスイベルジョイントであることを特徴とする。
【発明の効果】
【０００９】
本発明によれば、ラインを引いてルアーを遊泳させると、可動ブレードは水流抵抗を受けて回転する。甲虫類の形態を模して形成されたルアーボディの形態に加えて、可動ブレードが回転して水中の水を攪拌し、水流や気泡あるいは振動等を効果的発生させ、これにより高い釣果を期待することができる。
【発明を実施するための最良の形態】
【００１０】
以下、図面に基づき、本発明による釣用ルアーの好適な実施の形態を説明する。
図１および図２は、本発明の第１の実施形態による釣用ルアーの構成例を示している。この例ではたとえば蝉等の甲虫類の形態を模したルアーボディ１を有し、頭部１Ａ、胴部もしくは腹部１Ｂおよび羽根部１Ｃの対応部位を有する。
【００１１】
ルアーボディ１は合成樹脂材料により成形され、胴部もしくは腹部１Ｂにはフック２が垂下される。ルアーボディ１の先端に設けたラインアイ３にライン４が接続され、ライン４を引くことでルアーを遊泳させるようになっている。なお、フック２を係着させるためのフックアイ（図示せず）の周囲には、フック２の振れ角度θを制限するリング状の規制部材が設けられている。なお、フック２の振れ角度θを制限することで、フック２がルアーボディ１に当たって損傷させ、あるいは引っ掛かる等の不具合を防ぐことができる。
【００１２】
ルアーボディ１の後部からワイヤ５が延出し、このワイヤ５にプロペラ型可動ブレード（バズブレード）６が回転自在に取り付けられる。ワイヤ５はルアーボディ１の成形時、インサート成形により設けられる。可動ブレード６は複数枚の羽により構成され、中心部にワイヤ５が挿通する。可動ブレード６の前後にはビーズ７，７が介装され、これにより可動ブレード６の回転を円滑にする。ワイヤ５はルアーボディ１に対して適度に後下がりになるように取り付けられ、可動ブレード６が蝉等の下羽根をイミテートしている。
【００１３】
また、本発明の釣用ルアーにおいてワイヤ５後端の連結部５ａには連結具を介して、フック８が支持・連設される。連結具としては、たとえばスプリットリング９が好適であり、フック８はかなりの自由度で動き得るように連結部５ａに垂下される。なお、フック８は所謂フッキング率が悪いときに取り付けると効果的である。
【００１４】
上記構成において、ライン４を引いてルアーを遊泳させると、可動ブレード６が水面付近で回転する。この場合、可動ブレード６が回転して水中の水を攪拌し、水流や気泡あるいは振動等を効果的発生させ、これにより高い釣果を期待することができる。
【００１５】
また、フック２のみの場合ではフッキング率が悪いことがあるが、フック８を有することにより、フッキング率を高めることができる。この点でも高い釣果を期待することが可能になる。
【００１６】
つぎに、本発明による釣用ルアーの第２の実施の形態を説明する。
図３は、本発明の第２の実施形態による釣用ルアーの構成例を示している。この例では特にワイヤ５の後端に連結具を介して、別のブレード１０が支持・連設される。この連結具としては、スイベルジョイント１１が好適であり、ブレード１０はワイヤ５後端で自由に回転可能である。
【００１７】
第２の実施形態において、可動ブレード６の回転による水流や気泡あるいは振動等の発生に加え手、ブレード１０によるフラッシング効果が得られ、対象魚に対する高いアピール効果を得ることができる。また、イレギュラーでトリッキーな動きも可能になり、この点でも集魚効果につながる。
【００１８】
なお、本発明は、上述した実施形態にのみ限定されるものではなく、必要に応じて適宜変更、設定可能であり、上記実施形態と同様な作用効果を得ることができる。
たとえば、ルアーに取り付ける部品およびその数量、その配列の仕方、可動部の配設位置、さらに形状あるいは素材等につき、種々の組合せバリエーションが可能であり、図示例の場合にのみ限定されない。
【図面の簡単な説明】
【００１９】
【図１】本発明の第１の実施形態における釣用ルアーの構成例を示す側面図である。
【図２】本発明の第１の実施形態における釣用ルアーの構成例を示す平面図である。
【図３】本発明の第２の実施形態における釣用ルアーの構成例を示す側面図である。
【図４】従来の釣用ルアーの構成例を示す側面図である。
【符号の説明】
【００２０】
１  ルアーボディ
２，８  フック
３  ラインアイ
４  ライン
５  ワイヤ
６  可動ブレード
７  ビーズ
９  スプリットリング
１０  ブレード
１１  スイベルジョイント
【図１】
2007028919.tif 000003
【図２】
2007028919.tif 000004
【図３】
2007028919.tif 000005
【図４】
2007028919.tif 000006